(57)【要約】    【課題】  打球の飛距離や方向性のバラツキを改善する。    【解決手段】  ボールを打撃するフェース２ａを有するフェース部２を具えたウッド型ゴルフクラブヘッド１である。フェース２ａは、第１領域１０と第２領域２０とを含んでいる。第１領域１０は、フェース２ａのトウ・ヒール方向の中央部でかつフェース２ａの上部側に位置している。第２領域２０は、第１領域１０のトウ側、ヒール側及び下部側に隣接するように、フェース２ａの正面視においてＵ字状に形成されている。第２領域２０の表面粗さが、第１領域１０の表面粗さよりも大きく形成されている。【選択図】  図２
2018108341.tif 000002
【特許請求の範囲】
【請求項１】
ボールを打撃するフェースを有するフェース部を具えたウッド型ゴルフクラブヘッドであって、
前記フェースは、第１領域と第２領域とを含み、
前記第１領域は、前記フェースのトウ・ヒール方向の中央部でかつ前記フェースの上部側に位置しており、
前記第２領域は、前記第１領域のトウ側、ヒール側及び下部側に隣接するように、前記フェースの正面視においてＵ字状に形成されており、
前記第２領域の表面粗さが、前記第１領域の表面粗さよりも大きく形成されているウッド型ゴルフクラブヘッド。
【請求項２】
前記第２領域のトウ側及びヒール側は、前記フェースの上縁まで延びている請求項１記載のウッド型ゴルフクラブヘッド。
【請求項３】
前記フェースの正面視において、前記第１領域と前記第２領域との境界が、前記フェースの下部側に向かって凸の円弧状に延びている請求項１又は２記載のウッド型ゴルフクラブヘッド。
【請求項４】
前記第１領域の最も下部側の位置が、前記フェースの最大高さの１／２の高さ位置又はそれよりも上部に位置する請求項１乃至３のいずれかに記載のウッド型ゴルフクラブヘッド。
【請求項５】
前記第１領域の最も下部側の位置が、前記フェースの最大高さの２／３の高さ位置又はそれよりも下方に位置する請求項１乃至４のいずれかに記載のウッド型ゴルフクラブヘッド。
【請求項６】
ヘッドを規定のライ角及びロフト角で水平面に載置した基準状態において、ヘッド重心を通る垂直軸周りの慣性モーメントが３５００〜６０００（ｇ・cm2）であり、
前記フェースのバルジ半径が１０〜１６インチである請求項１乃至５のいずれかに記載のウッド型ゴルフクラブヘッド。
【請求項７】
前記第１領域と前記第２領域とにおいて、算術平均粗Ｒａの差が０．５μｍ以上であり、かつ、最大高さ粗さＲｚの差が５μｍ以上である請求項１乃至６のいずれかに記載のウッド型ゴルフクラブヘッド。
【請求項８】
前記第１領域と前記第２領域とにおいて、算術平均粗Ｒａの差が０．５〜４μｍであり、かつ、最大高さ粗さＲｚの差が５〜１５μｍである請求項１乃至６のいずれかに記載のウッド型ゴルフクラブヘッド。
【発明の詳細な説明】
【技術分野】
【０００１】
本発明は、ウッド型ゴルフクラブヘッドに関し、詳しくは、打球の飛距離や方向性のバラツキを改善しうるウッド型ゴルフクラブヘッドに関する。
【背景技術】
【０００２】
ロフト角のあるゴルフクラブヘッドのフェースでボールを打撃すると、ボールにはフェースとの摩擦力に基づくバックスピンが生じる。一般的にはロフト角が大きいほど、またフェース面の摩擦係数が大きいほど、ボールのバックスピン量は大きくなるものと考えられていた。
【０００３】
しかしながら、種々の実験の結果、ウッド型ゴルフクラブヘッドのようにロフト角が小さいゴルフクラブヘッドでは、フェースの摩擦係数が大きいほど、バックスピン量が低減するとともに、フェースの摩擦係数が小さいほど、バックスピン量が増加することが確認されている（特許文献１参照）。このような現象は、ボールに発生するリコイルが影響していると考えられている。
【０００４】
一般に、リコイルは、フェースとの接触によってゴルフボールの内部に生じた弾性的なねじれが元に戻ろうとする復元力の一種であり、このリコイルが強く発現するとバックスピン量は減少する。つまり、ロフト角が小さいゴルフクラブヘッドでは、フェースの摩擦係数が大きいほど、リコイルの作用が相対的に高められ、ボールのバックスピン量が低減する。逆に、ロフト角が小さいゴルフクラブヘッドでは、フェースの摩擦係数が小さいほど、リコイルの作用が抑制され、ボールのバックスピン量が増加する。
【０００５】
特許文献２には、上述のような現象を利用したゴルフクラブヘッドが提案されている。このゴルフクラブヘッドは、フェースのスイートスポットよりもクラウン部側であるフェース上領域の十点平均粗さが１．５（μｍ）よりも小さく、かつ、フェースのスイートスポットよりもソール部側であるフェース下領域の十点平均粗さが１．５〜１０（μｍ）とされている。
【０００６】
一般に、フェース上領域でボールを打撃したときに、通常は、ギア効果によってボールのバックスピン量が減少する。しかし、特許文献２に記載されたウッド型ゴルフクラブヘッドによれば、フェースのフェース上領域の摩擦係数が小さく構成されているので、リコイルの作用を弱めて、ボールのバックスピン量の大幅な減少を抑制することができる。
【０００７】
また、フェース下領域でボールを打撃したときに、通常は、ギア効果によってボールのバックスピン量が増加する。しかし、特許文献２に記載されたウッド型ゴルフクラブヘッドによれば、フェースのフェース下領域の摩擦係数が大きく構成されているので、リコイル作用を強めて、ボールのバックスピン量の著しい増加を抑制することができる。
【０００８】
以上のように、特許文献２のゴルフクラブヘッドによれば、打点がフェースの上下にばらついた場合でも、打撃されたボールの飛距離を安定させることができる。
【先行技術文献】
【特許文献】
【０００９】
【特許文献１】特開２０００−５３５２号公報
【特許文献２】特開２００４−２０１７８７号公報
【発明の概要】
【発明が解決しようとする課題】
【００１０】
しかしながら、特許文献２のウッド型ゴルフクラブヘッドにおいても、打点がフェースのトウ・ヒール方向（左右方向）にずれた場合に、打球の飛距離がばらつきやすいという問題があった。
【００１１】
本発明は、以上のような問題点に鑑み案出なされたもので、打球の飛距離や方向性のバラツキを改善しうるウッド型ゴルフクラブヘッドを提供することを主たる課題としている。
【課題を解決するための手段】
【００１２】
本発明は、ボールを打撃するフェースを有するフェース部を具えたウッド型ゴルフクラブヘッドであって、前記フェースは、第１領域と第２領域とを含み、前記第１領域は、前記フェースのトウ・ヒール方向の中央部でかつ前記フェースの上部側に位置しており、前記第２領域は、前記第１領域のトウ側、ヒール側及び下部側に隣接するように、前記フェースの正面視においてＵ字状に形成されており、前記第２領域の表面粗さが、前記第１領域の表面粗さよりも大きく形成されている。
【００１３】
本発明の他の態様では、前記第２領域のトウ側及びヒール側は、前記フェースの上縁まで延びているのが望ましい。
【００１４】
本発明の他の態様では、前記フェースの正面視において、前記第１領域と前記第２領域との境界が、前記フェースの下部側に向かって凸の円弧状に延びているのが望ましい。
【００１５】
本発明の他の態様では、前記第１領域の最も下部側の位置が、前記フェースの最大高さの１／２の高さ位置又はそれよりも上部に位置するのが望ましい。
【００１６】
本発明の他の態様では、前記第１領域の最も下部側の位置が、前記フェースの最大高さの２／３の高さ位置又はそれよりも下方に位置するのが望ましい。
【００１７】
本発明の他の態様では、ヘッドを規定のライ角及びロフト角で水平面に載置した基準状態において、ヘッド重心を通る垂直軸周りの慣性モーメントが３５００〜６０００（ｇ・cm2）であり、前記フェースのバルジ半径が１０〜１６インチであるのが望ましい。
【００１８】
本発明の他の態様では、前記第１領域と前記第２領域とにおいて、算術平均粗Ｒａの差が０．５μｍ以上であり、かつ、最大高さ粗さＲｚの差が５μｍ以上であるのが望ましい。
【００１９】
本発明の他の態様では、前記第１領域と前記第２領域とにおいて、算術平均粗Ｒａの差が０．５〜４μｍであり、かつ、最大高さ粗さＲｚの差が５〜１５μｍであるのが望ましい。
【発明の効果】
【００２０】
本発明のウッド型ゴルフクラブヘッドによれば、フェースは、第１領域と第２領域とを含む。前記第１領域は、前記フェースのトウ・ヒール方向の中央部でかつ前記フェースの上部側に位置している。前記第２領域は、前記第１領域のトウ側、ヒール側及び下部側に隣接するように、前記フェースの正面視においてＵ字状に形成されている。そして、前記第２領域の表面粗さが、前記第１領域の表面粗さよりも大きく形成されている。
【００２１】
本発明のウッド型ゴルフクラブヘッドによれば、第１領域が、低摩擦の表面を有するので、フェースの中央部かつ上部側でボールを打撃したときに、リコイルの作用を弱め、ひいてはバックスピン量の大幅な減少を抑制することができる。また、本発明のウッド型ゴルフクラブヘッドによれば、第２領域が、高摩擦の表面を有するので、フェースの下部側でボールを打撃したときに、リコイルの作用を強め、ボールのバックスピン量の大幅な増加を抑制することができる。
【００２２】
さらに、本発明のウッド型ゴルフクラブヘッドによれば、高摩擦の表面を有する第２領域が、フェースのトウ側及びヒール側を構成しているので、フェースのトウ側又はヒール側でボールを打撃したときに、リコイルの作用を強め、ボールのサイドスピン量の大幅な増加を抑制することができる。これは、ボールの左右方向の曲がりを小さくし、飛距離のばらつきを抑制する。
【００２３】
以上のように、本発明のウッド型ゴルフクラブヘッドによれば、打点がフェースの上下のみならず、左右にばらついた場合でも、打撃されたボールの飛距離を安定させることができる。
【図面の簡単な説明】
【００２４】
【図１】本実施形態のウッド型ゴルフクラブヘッドの斜視図である。
【図２】本実施形態のウッド型ゴルフクラブヘッドの正面図である。
【図３】本実施形態のウッド型ゴルフクラブヘッドの平面図である。
【図４】図２のＡ−Ａ線断面図である。
【図５】（Ａ）は、ゴルフクラブヘッドの正面図、（Ｂ）はそのＥ１線の部分断面図である。
【図６】（Ａ）〜（Ｃ）は、フェースのトウ側打撃及びヒール側打撃を説明するゴルフクラブヘッドの平面図である。
【図７】本実施形態のウッド型ゴルフクラブヘッドの正面図である。
【発明を実施するための形態】
【００２５】
以下、本発明の実施形態が図面に基づき説明される。以下に詳述される実施形態及び図面に表された具体的な構成は、本発明の内容を理解するためのものであって、本発明は、それらの具体的な構成に限定されるものではない。
【００２６】
図１〜４は、本実施形態のゴルフクラブヘッド１（以下、単に、「ヘッド」ということがある。）の斜視図、正面図、平面図、及び、図３のＡ−Ａ線断面図をそれぞれ示している。また、図１乃至３は、基準状態とされたヘッド１が描かれている。
【００２７】
［ヘッドの基準状態］
上記基準状態とは、ヘッド１が、水平面ＨＰに、そのロフト角α（図４）及びライ角β（図２）に保たれて置かれた状態である。基準状態では、ヘッド１のシャフト軸中心線ＣＬが、任意の垂直面ＶＰ内に配される。垂直面ＶＰに沿った水平な方向ｙが、ヘッド１のトウ・ヒール方向であり、垂直面ＶＰと直交する水平な方向ｘがヘッド１の前後方向とされる。上記ｘ及びｙにともに直交する垂直方向ｚが、ヘッド１の上下方向とされる。特に言及されていない場合、ヘッド１は、基準状態に置かれているものとして理解されるべきである。
【００２８】
［ヘッドの基本構成］
図１〜図４に示されるように、本実施形態のヘッド１は、内部に中空部ｉを有したウッド型であり、より好ましくはドライバーとして構成される。ウッド型のヘッド１は、ドライバー（＃１）の他、少なくともブラッシー（＃２）、スプーン（＃３）、バフィ（＃４）及びクリーク（＃５）を含む。ウッド型のヘッド１は、先に列挙されたものと番手又は名称が異なっていても類似した形状を持つヘッド、例えば、ユーティリティー型を含む。好ましい態様では、ウッド型のヘッドのロフト角αは、例えば、３５度以下、より好ましくは２６度以下とされる。
【００２９】
本実施形態のヘッド１は、例えば、金属材料で形成されている。前記金属材料は、特に限定されないが、例えば、ステンレス鋼、マルエージング鋼、純チタン、チタン合金又はアルミニウム合金等の一種又は二種以上が好ましい。ただし、一部に繊維強化樹脂等の金属材料以外の要素が用いられても良いのは言うまでもない。
【００３０】
本実施形態のヘッド１は、例えば、フェース部２、クラウン部３、ソール部４及びサイド部５を含んでいる。ヘッド１の中空部ｉは、フェース部２、クラウン部３、ソール部４及びサイド部５により画定される。
【００３１】
フェース部２は、その前面が、ボールを打撃するための打撃面であるフェース２ａを構成している。フェース２ａには、慣例に従い、トウ・ヒール方向に延びるスコアライン（溝）が形成され得る（図示省略）。
【００３２】
図２に示されるように、フェース２ａは、上縁ｅ１、下縁ｅ２、トウ側縁ｅ３及びヒール側縁ｅ４で画定される。これらの各縁ｅ１〜ｅ４は、明瞭な稜線が識別可能な場合には、該稜線で定義される。一方、このような明瞭な稜線が識別できない場合、図５（Ａ）に示されるように、ヘッド重心ＧとスイートスポットＳＳとを結ぶ直線Ｎ（図４）を含む多数の平面Ｅ１、Ｅ２…での各ヘッド断面図において、図５（Ｂ）に示されるように、スイートスポットＳＳ側からフェース外側に向かってフェース外面輪郭線Ｌｆの曲率半径ｒを測定していき、その値が初めて２００mm（約７．８７４インチ）となる位置が前記各縁ｅ１〜ｅ４として定義される。なお、フェース外面輪郭線Ｌｆは、スコアラインが無いものとして（スコアラインを滑らかに埋めた状態で）定められる。
【００３３】
図１及び図４に示されるように、クラウン部３は、フェース部２に連なってヘッド上面を構成している。クラウン部３のヒール側には、例えば、ホーゼル部６が設けられても良い。ホーゼル部６は、シャフト（図示省略）が固定可能なように、シャフト差込孔６ａを有する筒状に構成されている。シャフト差込孔６ａの軸中心線は、上記シャフト軸中心線ＣＬに対応する。
【００３４】
図４に示されるように、ソール部４は、フェース部２に連なってヘッド底面を構成している。
【００３５】
図１〜３に示されるように、サイド部５は、クラウン部３とソール部４との間をつないでいる。サイド部５のトウ側及びヒール側は、それぞれ、フェース部２のトウ側及びヒール側に接続されている。
【００３６】
本実施形態のヘッド１は、大きい体積を有し、好ましくは２００cm3以上、より好ましくは２５０cm3以上、さらに好ましくは３００cm3以上の体積を有する。このようなヘッド１は、前記基準状態において、ヘッド重心Ｇを通る垂直軸周りの慣性モーメント（以下、このような慣性モーメントを「左右の慣性モーメント」と呼ぶ。）が大きくなる。本実施形態では、ヘッド１は、３５００〜６０００（ｇ・cm2）の左右の慣性モーメントを有することが望ましい。このように左右の慣性モーメントが大きいヘッド１は、左右のギア効果が発現しにくい。
【００３７】
左右のギア効果とは、図６（Ａ）に示されるように、ボールがフェースのトウ側又はヒール側で打撃された場合、ヘッドが前記垂直軸周りに微小回転するとともに、ボールには、フェースとの摩擦によってヘッドとは逆方向のサイドスピンが発生する現象であり、打球にフックやスライスといった曲がりを生じさせる。このサイドスピンは、目標飛球線方向に対するボールの方向性を悪化させる原因になる。しかし、大きな左右の慣性モーメントを有するヘッドでは、打点がフェースのトウ側又はヒール側にずれた場合でも、上述したヘッドの回転挙動が小さくなるので、ボールのサイドスピン量が減り、打球の方向性を安定させることができる。
【００３８】
打球の方向性をさらに安定させて飛距離の低下を抑制するために、図３に示されるように、フェース２ａのバルジ半径Ｒが１０〜１６インチ（２５４〜４０６．４mm）であるのが望ましい。バルジ半径Ｒは、フェース２ａの水平方向でのヘッド外方への膨らみ、即ち、「バルジ」の大きさを規定する曲率半径である。
【００３９】
バルジの本来の目的は、図６（Ｂ）に示されるように、ボールの打点がフェース２ａのトウ側又はヒール側にずれた場合に、ボールを、目標飛球線によりも右側又は左側に打ち出させることにある。上述の通り、オフセンター打撃時には、左右のギア効果によってボールがフック又はスライスする。しかし、バルジによってボールの打ち出し方向が予めボールが曲がるであろう向きと逆方向に向けられることで、両者が相殺され、目標飛球線方向に対するボールの方向性が高められる。
【００４０】
他方、左右の慣性モーメントが大きいヘッドは、図６（Ｃ）に示されるように、左右のギア効果の影響が小さく、ボールのサイドスピンが少ない。このため、バルジ半径Ｒが小さいと、大きく左右に打ち出されたボールは、目標飛球線方向に戻りきらない。このような観点より、本実施形態では、バルジ半径Ｒが１０〜１６インチに設定される。
【００４１】
図２に示されるように、本実施形態のヘッド１において、フェース２ａは、第１領域１０と第２領域２０とを含んでいる。
【００４２】
第１領域１０は、フェース２ａのトウ・ヒール方向の中央部でかつフェース２ａの上 部側に位置している。より具体的には、第１領域１０は、フェース２ａの上縁ｅ１からフェース２ａの下部側に広がっている。第１領域１０は、フェース２ａの下縁ｅ２、トウ側縁ｅ３及びヒール側縁ｅ４に至ることなく終端している。
【００４３】
第２領域２０は、第１領域１０のトウ側、ヒール側及び下部側に隣接するように、フェース２ａの正面視においてＵ字状の領域として形成されている。本実施形態において、第２領域２０は、フェース２ａの上縁ｅ１のトウ側から、第１領域１０に沿ってフェース２ａの上縁ｅ１のヒール側にまで延びており、第１領域１０をトウ側、下側及びヒール側から囲んでいる。第２領域２０は、トウ側及びヒール側は、例えば、フェース２ａの上縁ｅ１まで延びている。また、第２領域２０は、例えば、トウ側縁ｅ３、ヒール側縁ｅ４及び下縁ｅ２に至っており、本質的に、フェース２ａの第１領域１０を除いた残部領域を形成している。
【００４４】
本実施形態のヘッド１では、第２領域２０の表面粗さは、第１領域１０の表面粗さよりも大きく形成されている。このため、第２領域２０は、第１領域１０よりも高い摩擦係数を有する。
【００４５】
本実施形態のヘッド１によれば、ヘッド１のフェース２ａの中央部かつ上部側でボールを打撃した場合、ボールは、相対的に低い摩擦係数を有する第１領域１０と接触する。このため、ボールは、リコイルの作用が弱められ、ひいてはバックスピン量の大幅な減少を抑制することができる。
【００４６】
また、本実施形態のヘッド１によれば、ヘッド１のフェース２ａの下部側でボールを打撃した場合、ボールは、相対的に高い摩擦係数を有する第２領域２０と接触する。このため、ボールは、リコイルの作用が強められ、ひいてはバックスピン量の大幅な増加を抑制することができる。
【００４７】
以上のように、本実施形態のヘッド１によれば、いわゆる上下方向のギア効果に伴うバックスピン量の変化が抑制されるので、打点がフェース２ａの上下方向にばらついた場合でも打撃されたボールの飛距離が安定する。
【００４８】
ここで、第１領域１０の最も下部側の位置１０Ｐが低すぎると、フェース２ａの下部側で打撃したときにボールが第１領域１０と接触し、バックスピン量が過度に増加して、打球の飛距離を損ねるおそれがある。このような観点より、図７に示されるように、第１領域１０の最も下部側の位置１０Ｐは、フェース２ａの最大高さＨの１／２の高さ位置又はそれよりも上部に位置させるのが望ましい。フェース２ａの最大高さは、水平面ＨＰからフェース２ａの上縁ｅ１の最も高い位置までの垂直高さとして定義される。
【００４９】
逆に、第１領域１０の最も下部側の位置１０Ｐが高すぎると、フェース２ａの上部側で打撃したときにボールが第２領域２０と接触し、バックスピン量が過度に低下し、やはり打球の飛距離を損ねるおそれがある。このような観点より、第１領域１０の最も下部側の位置１０Ｐは、フェース２ａの最大高さＨの２／３の高さ位置又はそれよりも下方に位置するのが望ましい。なお、ヘッドのスイートスポットＳＳも、フェース２ａの最大高さＨの１／２の高さ位置と、フェース２ａの最大高さＨの２／３の高さ位置との間に位置するのが望ましい。特に好ましい態様では、ヘッドのスイートスポットＳＳと、第１領域１０の最も下部側の位置１０Ｐとが同じ高さに設けられるのが良い。
【００５０】
また、図７に示されるように、第１領域１０のトウ・ヒール方向の幅ＣＷは、好ましくは、フェース２ａのトウ・ヒール方向の最大幅ＦＷの４０％〜６０％の範囲が望ましい。
【００５１】
さらに、本実施形態のヘッド１によれば、フェース２ａのトウ側及びヒール側の全域が、第２領域２０として形成されている。従って、ヘッド１のフェース２ａのトウ側又はヒール側でボールを打撃した場合、ボールは、相対的に高い摩擦係数を有する第２領域２０と接触する。このため、ボールは、リコイルの作用が強められ、ひいては左右のギア効果によってサイドスピンを適量に調整することができる。これは、ボールの左右方向の曲がりを小さくして飛距離のばらつきを抑制する。このような作用は、本実施形態のように、大きな左右の慣性モーメントと大きなバルジ半径とを有するヘッド１において、特に有効である。
【００５２】
好ましい態様では、フェース２ａの正面視において、第１領域１０と第２領域２０との境界３０が、フェース２ａの下部側に向かって凸の円弧状に延びるものが望ましい。本実施形態では、この境界３０が、フェース２ａのトウ側縁ｅ３、下縁ｅ２及びヒール側縁ｅ４に沿って滑らかに延びている態様が示されている。ただし、本発明は、このような態様に限定されるものではなく、前記境界３０は、種々の態様に変更しうる。例えば、境界３０は、Ｖ字状であっても良い。
【００５３】
以上のように、本実施形態のヘッド１によれば、打点がフェース２ａの上下方向のみならず、左右方向にばらついた場合でも、打撃されたボールの飛距離を安定させることができるという優れた効果を奏する。
【００５４】
上述のように、左右の慣性モーメントが大きい本実施形態のヘッド１では、左右のギア効果の作用は弱められてはいるが、打点がフェース２ａのトウ側又はヒール側により大きくずれた場合には、サイドスピン量が増加する傾向がある。このような観点より、第２領域２０は、フェース２ａのトウ・ヒール方向の中央部から、トウ側及びヒール側に向かって、表面粗さが徐々に大きくなっていることが望ましい。このような態様によれば、打点がフェース２ａのトウ側又はヒール側により大きくずれた場合でも、リコイルの作用をさらに強め、サイドスピンを適量化し左右の曲がりを小さくすることができる。
【００５５】
第１領域１０及び第２領域２０の表面粗さについては、種々のパラメータで評価することができ、例えば、JIS-B-0601に規定される各種の表面粗さパラメータを用いることができる。
【００５６】
表面粗さとして、例えば、算術平均粗さＲａが用いられても良い。例えば、第１領域１０と第２領域２０とにおいて、算術平均粗さＲａの差は、０．５μｍ以上とされるのが望ましい。前記算術平均粗さＲａの差が０．５μｍ未満の場合、第１領域１０及び第２領域２０の表面粗さが同等に近づくため、打点がばらついたときの飛距離のばらつきを抑制する効果が十分に得られないおそれがある。他方、前記算術平均粗さＲａの差が大きすぎると、ゴルフルールの範囲を逸脱するおそれがある。このような観点より、第１領域１０と第２領域２０とにおいて、算術平均粗さＲａの差は、より好ましくは０．５〜４μｍの範囲とされ、さらに好ましくは１〜４μｍの範囲とされるのが望ましい。
【００５７】
また、第１領域１０の算術平均粗さＲａは、特に限定されないが、好ましくは１〜３μｍ程度が望ましい。
【００５８】
また、表面粗さとして、前記算術平均粗さＲａとともに、又は、前記算術平均粗さＲａに代えて、最大高さ粗さＲｚが用いられても良い。例えば、第１領域１０と第２領域２０とにおいて、最大高さ粗さＲｚの差は、５μｍ以上とされるのが望ましい。最大高さ粗さＲｚの差が、５μｍ未満の場合、第１領域１０及び第２領域２０の表面粗さが同等に近づくため、打点がばらついたときの飛距離のばらつきを抑制する効果が十分に得られないおそれがある。他方、前記最大高さ粗さＲｚの差が大きすぎると、ゴルフルールの範囲を逸脱するおそれがある。このような観点より、第１領域１０と第２領域２０とにおいて、平均高さ粗さＲｚの差は、より好ましくは５〜１５μｍ、さらに好ましくは７〜１３μｍとされるのが望ましい。
【００５９】
第１領域１０の最大高さ粗さＲｚは、特に限定されないが、好ましくは１０〜１８μｍ程度が望ましい。
【００６０】
第１領域１０及び第２領域２０については、例えば、互いに異なる処理条件でショットブラストや研磨等を行うことにより容易に形成することができる。
【００６１】
以上、本発明の実施形態が詳細に説明されたが、本発明は、上記の実施形態に限定されるものではなく、種々の態様に変更しうるのは言うまでもない。特に、各実施形態は、相互に独立したものとして厳格に解されるべきではない。例えば、ある実施形態の一部の要素を、他の実施形態に記載された要素に置換して得られる態様は、本発明の開示の範囲として理解されるべきである。
【実施例】
【００６２】
本発明の効果を確認するために、図１〜４及び表１の仕様に基づいて、フェースの表面粗さを異ならせたチタン合金製の中空構造のウッド型ゴルフクラブヘッドが試作され、それらについて打撃テストが行われた。テストに用いられたウッド型ゴルフクラブの共通仕様は、次の通りである。
クラブ全長：４５インチ
ヘッド体積：４６０cm3
ロフト角：１０度
ヘッドの左右の慣性モーメント：４０００ｇ・cm2
バルジ半径：１２インチ
フェースの最大高さＨ：５４mm
第１領域の幅ＣＷ／フェースの最大幅ＦＷ：６４％
【００６３】
フェースの表面粗さ（Ｒａ、Ｒｚ）は、Alicona社製の商品名「INFINITE FOCUS optical 3D Measurement Device G4f」が用いられ、各領域において、３箇所（任意）を測定し、それらの平均値を示した。
【００６４】
また、打撃テストは、各ゴルフクラブをスイングロボットに装着し、ヘッドスピード４５ｍ／ｓに調整して、フェースの所定の位置でボールがそれぞれ６発ずつ打撃され、平均の飛距離及びバックスピン量が測定された。フェースのボール打撃位置は、以下の通りである。
基準打撃：フェースセンター（フェースの上下及びトウ・ヒール方向の中間位置）
５mm上側打撃：フェースセンターから上側に５mmの位置
１０mm上側打撃：フェースセンターから上側に１０mmの位置
５mm下側打撃：フェースセンターから下側に５mmの位置
テストの結果は、表１に示される。
【００６５】
【表１】
2018108341.tif 000003
【００６６】
テストの結果、実施例のヘッドは、比較例に比べて、飛距離のバラツキが抑制されていることが確認できた。
【００６７】
次に、表２に記載された第２領域の表面粗さ、左右の慣性モーメント及びバルジ半径を代えて、フェースセンターから２０mmトウ側の位置及び２０mmヒール側の位置でそれぞれ打撃したときの打球のサイドスピン量及び目標飛球線方向に対する打球の左右方向のずれ量がそれぞれ測定された。
テストの結果は、表２に示される。
【００６８】
【表２】
2018108341.tif 000004
【００６９】
テストの結果、実施例のヘッドは、比較例に比べて、打球の方向性が有意に改善されていることが確認できた。
【符号の説明】
【００７０】
１  ウッド型ゴルフクラブヘッド
２  フェース部
２ａ  フェース
１０  第１領域
１０Ｐ  第１領域の最も下部側の位置
２０  第２領域
３０  境界
ｅ１  フェースの上縁
Ｈ  フェースの最大高さ
Ｒ  バルジ半径
【図１】
2018108341.tif 000005
【図２】
2018108341.tif 000006
【図３】
2018108341.tif 000007
【図４】
2018108341.tif 000008
【図５】
2018108341.tif 000009
【図６】
2018108341.tif 000010
【図７】
2018108341.tif 000011